(57)【特許請求の範囲】
【請求項１】
本体部に着脱可能な便蓋を有する便座装置において、
前記本体部に設けられて軸線方向が水平方向であるとともに前記本体部から前記軸線方向に突出し前記便蓋を係止可能な軸部と、
前記便蓋に取り付けられて前記軸部による前記便蓋の係止および係止解除を切り替え可能なロック機構と、を有し、
前記便蓋には、前記軸部の先端部分を上下方向から挿入すると前記便蓋が前記軸部に係止される軸部挿入凹部と、
前記便蓋が前記便座を覆う横臥姿勢となると前記軸部挿入凹部から前記便蓋の下方に達するように延在し前記軸部の先端部分を前記上下方向から挿入可能な溝部と、が形成され、
前記ロック機構は、前記横臥姿勢の前記便蓋に対して前後方向にスライドすることで前記軸部による前記便蓋の係止および係止解除を切り替えることを特徴とする便座装置。
【請求項２】
本体部に着脱可能な便蓋を有する便座装置において、
前記本体部にそれぞれ設けられて軸線方向が水平方向で同軸であるとともに前記本体部から前記軸線方向に突出し前記便蓋を係止可能な一対の軸部と、
前記便蓋に取り付けられて前記一対の軸部による前記便蓋の係止および係止解除を切り替え可能なロック機構と、を有し、
前記一対の軸部のうちの一方の第１軸部は、前記本体部から前記軸線方向の一方側に突出し、
前記一対の軸部のうちの他方の第２軸部は、前記本体部から前記軸線方向の他方側に突出していて、
前記便蓋には、前記第１軸部の先端部分を上下方向から挿入すると前記便蓋が前記第１軸部に係止される第１軸部挿入凹部と、
前記第２軸部の先端部分を前記上下方向から挿入すると前記便蓋が前記第２軸部に係止される第２軸部挿入凹部と、
前記便蓋が所定の姿勢となると前記第１軸部挿入凹部から前記便蓋の下方に達するように延在し前記第１軸部の先端部分を前記上下方向から挿入可能な第１溝部と、
前記便蓋が前記所定の姿勢となると前記第２軸部挿入凹部から前記便蓋の下方に達するように延在し前記第２軸部の先端部分を前記上下方向から挿入可能な第２溝部と、が形成され、
前記ロック機構は、前記便座を覆う横臥姿勢の前記便蓋に対して前後方向にスライドすることで前記一対の軸部による前記便蓋の係止および係止解除を切り替えることを特徴とする便座装置。
【請求項３】
前記ロック機構は、前記便蓋に複数の個所で係止されている請求項１または２に記載の便座装置。
【請求項４】
本体部に着脱可能な便蓋を有する便座装置において、
前記本体部に設けられて軸線方向が水平方向であるとともに前記本体部から前記軸線方向に突出する軸部を有し、
前記便蓋には、前記軸部の先端部分を上下方向から挿入すると前記便蓋が前記軸部に係止される軸部挿入凹部と、
前記便蓋が前記便座を覆う横臥姿勢となると前記軸部挿入凹部から前記便蓋の下方に達するように延在し前記軸部の先端部分を前記上下方向から挿入可能な溝部と、が形成され、
前記便蓋は、前記便座を覆う便蓋本体と、前記軸線方向に互いに間隔をあけて配置されるとともにそれぞれ前記便蓋本体から突出する一対の突出部と、を有し、
前記一対の突出部の少なくとも一方に前記軸部挿入凹部および前記溝部が形成されていて、
前記一対の突出部の間には、前記本体部の一部が配置され、
前記一対の突出部は、それぞれの互いに離間する側の側面が基端側から先端側に向かって互いに近づくように延びていて、
前記軸部挿入凹部および前記溝部が形成されている前記突出部は、前記軸部挿入凹部および前記溝部が形成されている部分の側面およびこの部分よりも先端側の側面が、基端側から先端側に向かって他方の突出部に近づくように延びていることを特徴とする便座装置。
【発明の詳細な説明】
【技術分野】
【０００１】
本発明は、便座装置に関する。
【背景技術】
【０００２】
便器の本体部に着脱可能な便蓋を有する便座装置が知られている（例えば、特許文献１）。このような便蓋は、本体部に設けられた一対の軸部に係止されており、便座を露出させる起立姿勢で軸部に着脱可能に構成されている。
【先行技術文献】
【特許文献】
【０００３】
【特許文献１】特開２００７−１１１１８９号公報
【発明の概要】
【発明が解決しようとする課題】
【０００４】
しかしながら、便蓋を本体部に着脱する際に、便蓋を起立姿勢としなければならないため、使用者が便器の前方から手を伸ばして便蓋を把持しなければならず、本体部への便蓋の着脱に手間がかかっている。また、便蓋を一対の軸部に対して順番に着脱しなければならないため、本体部への便蓋の着脱に手間がかかっている。
【０００５】
そこで、本発明は、便蓋を本体部に容易に着脱することができる便座装置を提供することを目的とする。
【課題を解決するための手段】
【０００６】
上記目的を達成するため、本発明に係る便座装置は、本体部に着脱可能な便蓋を有する便座装置において、前記本体部に設けられて軸線方向が水平方向であるとともに前記本体部から前記軸線方向に突出し前記便蓋を係止可能な軸部と、前記便蓋に取り付けられて前記軸部による前記便蓋の係止および係止解除を切り替え可能なロック機構と、を有し、前記便蓋には、前記軸部の先端部分を上下方向から挿入すると前記便蓋が前記軸部に係止される軸部挿入凹部と、前記便蓋が前記便座を覆う横臥姿勢となると前記軸部挿入凹部から前記便蓋の下方に達するように延在し前記軸部の先端部分を前記上下方向から挿入可能な溝部と、が形成され、前記ロック機構は、前記横臥姿勢の前記便蓋に対して前後方向にスライドすることで前記軸部による前記便蓋の係止および係止解除を切り替えることを特徴とする。
【０００７】
本発明では、便蓋には、便蓋が便座を覆う横臥姿勢となると軸部挿入凹部から便蓋の下方に達するように延在する溝部が形成されていることにより、軸部挿入凹部に軸部の先端部分が挿入された横臥姿勢の便蓋を上側に移動させると、軸部の先端部分が溝部に入り込んで溝部の下端部から外れるようにして便蓋を軸部から外すことができる。このため、便蓋を起立姿勢とせず横臥姿勢もしくは横臥姿勢からやや傾けた姿勢のままで本体部から取り外すことができ、便蓋を本体部から容易に外すことができる。
また、便蓋を本体部に取り付けるには、横臥姿勢の便蓋を本体部に上側から近づけて、軸部を溝部に入り込ませるようにして更に便蓋を下方に移動させると、軸部が軸部挿入凹部に入り込んで便蓋を軸部に取り付けることができる。このため、便蓋を起立姿勢とせず横臥姿勢または横臥姿勢からやや傾けた姿勢のままで本体部に取り付けることができ、便蓋を本体部に容易に取り付けることができる。
【０００８】
本発明では、本体部とは、便鉢が形成された便器本体や、便器本体の上に設けられて局部洗浄装置、脱臭装置などの各種機能装置や各種機能部品、これらの各種機能装置や各種機能部品の駆動を制御する制御部、各種機能装置や各種機能部品および制御部に電力を供給するための電力部などがケースに収容された機能部などを含むものとする。
【０００９】
また、本発明に係る便座装置では、本体部に着脱可能な便蓋を有する便座装置において、前記本体部にそれぞれ設けられて軸線方向が水平方向で同軸であるとともに前記本体部から前記軸線方向に突出し前記便蓋を係止可能な一対の軸部と、前記便蓋に取り付けられて前記一対の軸部による前記便蓋の係止および係止解除を切り替え可能なロック機構と、を有し、前記一対の軸部のうちの一方の第１軸部は、前記本体部から前記軸線方向の一方側に突出し、前記一対の軸部のうちの他方の第２軸部は、前記本体部から前記軸線方向の他方側に突出していて、前記便蓋には、前記第１軸部の先端部分を上下方向から挿入すると前記便蓋が前記第１軸部に係止される第１軸部挿入凹部と、前記第２軸部の先端部分を前記上下方向から挿入すると前記便蓋が前記第２軸部に係止される第２軸部挿入凹部と、前記便蓋が所定の姿勢となると前記第１軸部挿入凹部から前記便蓋の下方に達するように延在し前記第１軸部の先端部分を前記上下方向から挿入可能な第１溝部と、前記便蓋が前記所定の姿勢となると前記第２軸部挿入凹部から前記便蓋の下方に達するように延在し前記第２軸部の先端部分を前記上下方向から挿入可能な第２溝部と、が形成され、前記ロック機構は、前記便座を覆う横臥姿勢の前記便蓋に対して前後方向にスライドすることで前記一対の軸部による前記便蓋の係止および係止解除を切り替えることを特徴とする。
【００１０】
本発明では、便蓋には、便蓋が所定の姿勢となると第１軸部挿入凹部から便蓋の下方に達するように延在する第１溝部と、第２軸部挿入凹部から便蓋の下方に達するように延在する第２溝部と、が形成されている。これにより、第１軸部挿入凹部に第１軸部の先端部分が挿入され、第２軸部挿入凹部に第２軸部の先端部分が挿入された所定の姿勢の便蓋を上側に移動させると、第１軸部が第１溝部に入り込んで第１溝部の下端部から外れ、第２軸部が第２溝部に入り込んで第２溝部の下端部から外れるようにして便蓋を軸部から取り外すことができる。このため、便蓋を第１軸部および第２軸部から同時に取り外すことができ、便蓋を本体部から容易に取り外すことができる。
また、便蓋を本体部に取り付けるには、所定の姿勢の便蓋を本体部に上側から近づけて、第１軸部を第１溝部に入り込ませ、第２軸部を第２溝部に入り込ませて、更に便蓋を下方に移動させると、第１軸部が第１軸部挿入凹部に入り込み、第２軸部が第２軸部挿入凹部に入り込んで便蓋を第１軸部および第２軸部に取り付けることができる。このため、便蓋を第１軸部および第２軸部に同時に取り付けることができ、便蓋を本体部に容易に取り付けることができる。
【００１１】
また、従来の便座装置には、便蓋を本体部から取り外す場合には、まず便蓋を上側へ移動させて第１軸部および第２軸部のいずれか一方の軸部から外し、その後に便蓋を軸線方向に移動させて他方の軸部から外し、便蓋を本体部に取り付ける場合は、まず便蓋を取り付け位置近傍において起立姿勢とし、便蓋を軸線方向に移動させて他方の軸部に取付け、その後に便蓋を下方に移動させて一方の軸部に取り付ける構成のものがある。
このような便座装置の場合、便蓋を本体部へ着脱する際に、便蓋が一方の軸部には取り付けられておらず他方の軸部には取り付けられた状態となると、一方の軸部に取り付けられる側が他方の軸部に取り付けられる側よりも高い位置に配置された傾いた姿勢となる。このため、便蓋と一対の軸部それぞれとの間に便蓋が傾いた際のクリアランスを設ける必要がある。
これにより、便蓋は、一対の軸部に取り付けられると、上記のクリアランスによって本体部に対してがたついてしまうことがある。
これに対し、本発明では、便蓋を一対の軸部に対して同じ方向から同時に着脱できるため、便蓋と一対の軸部それぞれとの間にクリアランスを設ける必要がなく、便蓋が本体部および便座に対してがたつくことを防止できる。
【００１３】
また、本発明に係る便座装置では、前記ロック機構は、前記便蓋に複数の個所で係止されていることが好ましい。
このような構成とすることにより、ロック機構が便蓋に確実に係止され、ロック機構をスライドさせた際に便蓋から外れたり位置ずれしたりすることを防止できる。
【００１４】
また、本発明に係る便座装置は、本体部に着脱可能な便蓋を有する便座装置において、前記本体部に設けられて軸線方向が水平方向であるとともに前記本体部から前記軸線方向に突出する軸部を有し、前記便蓋には、前記軸部の先端部分を上下方向から挿入すると前記便蓋が前記軸部に係止される軸部挿入凹部と、前記便蓋が前記便座を覆う横臥姿勢となると前記軸部挿入凹部から前記便蓋の下方に達するように延在し前記軸部の先端部分を前記上下方向から挿入可能な溝部と、が形成され、前記便蓋は、前記便座を覆う便蓋本体と、前記軸線方向に互いに間隔をあけて配置されるとともにそれぞれ前記便蓋本体から突出する一対の突出部と、を有し、前記一対の突出部の少なくとも一方に前記軸部挿入凹部および前記溝部が形成されていて、前記一対の突出部の間には、前記本体部の一部が配置され、前記一対の突出部は、それぞれの互いに離間する側の側面が基端側から先端側に向かって互いに近づくように延びていて、前記軸部挿入凹部および前記溝部が形成されている前記突出部は、前記軸部挿入凹部および前記溝部が形成されている部分の側面およびこの部分よりも先端側の側面が、基端側から先端側に向かって他方の突出部に近づくように延びていることを特徴とする。
このような構成とすることにより、軸線挿入凹部、溝部および軸部の先端部分が突出部の内側に配置されて露出が少ないため、これらが汚れることが抑制され清掃性を向上させることができる。
【発明の効果】
【００１５】
本発明によれば、便蓋を機能部または便座に対して容易に着脱することができる。
【図面の簡単な説明】
【００１６】
【図１】本発明の実施形態による便器の一例を示す斜視図である。
【図２】図１の上面図である。
【図３】便座および便蓋を省略した便器を示す斜視図である。
【図４】図３の上面図である。
【図５】便座の上面図である。
【図６】便座を左側から見た図である。
【図７】便座を右側から見た図である。
【図８】便蓋の上面図である。
【図９】図８のＡ−Ａ線断面図である。
【図１０】第１便蓋突出部の斜視図である。
【図１１】図８のＢ−Ｂ線断面図である。
【図１２】第２便蓋突出部の斜視図である。
【図１３】便蓋を裏側から見た図である。
【図１４】第１ロック機構が取り付けられた第１便蓋突出部の斜視図である。
【図１５】第２ロック機構が取り付けられた第２１便蓋突出部の斜視図である。
【図１６】図１４のカバー部を省略した図である。
【図１７】第１ロック機構の斜視図である。
【図１８】他の方向から見た第１ロック機構の斜視図である。
【図１９】後側にスライドした第１ロック機構を説明する図でカバー部を省略した図である。
【図２０】前側にスライドした第１ロック機構を説明する図でカバー部を省略した図である。
【図２１】後側にスライドした第２ロック機構を説明する図でカバー部を省略した図である。
【図２２】前側にスライドした第２ロック機構を説明する図でカバー部を省略した図である。
【発明を実施するための形態】
【００１７】
以下、本発明の実施形態による便座装置について、図１乃至図２２に基づいて説明する。
図１および図２に示すように、本実施形態による便器１は、水洗式大便器で、トイレ空間１１の床面１２に設置され下方に延びる排水配管（不図示）に接続された便器本体（本体部）２と、便器本体２に取り付けられた便座装置１０と、を有している。便座装置１０は、機能部３と、機能部３に支持された一対の軸部３２，３３と、一対の軸部３２，３３に取り付けられた便座４および便蓋５と、一対の軸部３２，３３による便蓋５の係止および係止解除をそれぞれ切り替える一対のロック機構６，７と、を有している。
【００１８】
機能部３とは、局部洗浄装置、脱臭装置などの各種機能装置や各種機能部品（不図示）、これらの各種機能装置や各種機能部品の駆動を制御する制御部（不図示）、各種機能装置や各種機能部品および制御部に電力を供給するための電力部（不図示）などと、これらを収容するケース３１とを示している。
ここで、便器１の機能部３が設けられている側を前後方向の後側とし、便座４が設けられている側を前後方向の前側とする。またこの前後方向に直交する水平方向を左右方向とする。
また、便座４および便蓋５が便器本体２にかぶさるように横臥した姿勢を横臥姿勢（図１および図２参照）とし、便器本体２の上側で起立した姿勢を起立姿勢（不図示）とする。
なお、便座４および便蓋５の横臥姿勢とは、便座４および便蓋５が図１および図２に示すように完全に倒された状態のみではなく、完全に倒された状態から前端部側を少し上側にあげて少し起立した状態についても含むものとする。
【００１９】
図３および図４に示すように、機能部３は、ケース３１の左右方向の両側からそれぞれ突出する一対の軸部３２，３３を有している。一対の軸部３２，３３のうちの左側に配置された軸部３２を第１軸部３２とし、右側に配置された軸部３３を第２軸部３３とする。
第１軸部３２および第２軸部３３は、同軸に配置され、それぞれ機能部３のケース３１内に設けられたモータ３４，３５と接続されている。第１軸部３２および第２軸部３３の軸線３６は、左右方向に延在していて、軸線方向が左右方向となっている。
第１軸部３２と第２軸部３３とは、それぞれ個別に軸線回りに回動するように制御されている。
【００２０】
図５乃至図７に示すように、便座４は、使用者が着座する便座本体４１と、互いに左右方向に間隔をあけて配置され横臥状態の便座本体４１から後方に突出する一対の便座突出部４２，４３と、を有している。一対の便座突出部４２，４３のうち左側に配置された便座突出部４２を第１便座突出部４２とし、右側に配置された便座突出部４３を第２便座突出部４３とする。
第１便座突出部４２と第２便座突出部４３との間には、便座４が横臥状態となると機能部３の前部側が入り込むよう構成されている。
【００２１】
第１便座突出部４２には、左右方向に貫通し第１軸部３２が挿通される第１貫通孔４２ａが形成されている。第１貫通孔４２ａに挿通された第１軸部３２は、第１貫通孔４２ａの内部で軸線回りに回転可能に構成されている。このため、便座４は、第１軸部３２が軸線回りに回動しても、第１軸部３２とともに回動しないように構成されている。
【００２２】
第２便座突出部４３には、左右方向に貫通し第２軸部３３が挿通される第２貫通孔４３ａが形成されている。第２貫通孔４３ａに挿通された第２軸部３３は、第２貫通孔４３ａに嵌合していて、便座４とは軸線回りの相対回転不可能に構成されている。このため、便座４は、第２軸部３３が軸線回りに回動すると、第２軸部３３とともに回動するように構成されている。
これにより、便座４は、第２軸部３３が回動することによって、横臥姿勢と起立姿勢とが切り替えられるように構成されている。
【００２３】
図１、図２および図８に示すように、便蓋５は、便座４を覆う便蓋本体５１と、互いに左右方向に間隔をあけて配置され横臥状態の便蓋本体５１の後方から突出する一対の便蓋突出部５２，５３と、を有している。
便蓋本体５１は、横臥状態となると便座４の上側に配置される上板部５１１と、上板部５１１の縁部から下側に延びて便座４の側方に配置される側板部５１２と、を有している。
一対の便蓋突出部５２，５３のうち左側に配置された便蓋突出部５２を第１便蓋突出部５２とし、右側に配置された便蓋突出部５３を第２便蓋突出部５３とする。
【００２４】
図９および図１０に示すように、第１便蓋突出部５２は、便蓋本体５１の上板部５１１と連続する第１上板部５２１と、便蓋本体５１の側板部５１２と連続する第１側板部５２２と、第１上板部５２１から下側に突出するとともに第１側板部５２２から右側（機能部３に向かう側）に突出する第１形成部５２３と、を有している。第１形成部５２３は、第１便蓋突出部５２の第１上板部５２１および第１側板部５２２に対して後側に配置されている。
【００２５】
図１１および図１２に示すように、第２便蓋突出部５３は、便蓋本体５１の上板部５１１と連続する第２上板部５３１と、便蓋本体５１の側板部５１２と連続する第２側板部５３２と、第２上板部５３１から下側に突出するとともに第２側板部５３２から左側（機能部３に向かう側）に突出する第２形成部５３３と、を有している。第２形成部５３３は、第２便蓋突出部５３の第２上板部５３１および第２側板部５３２に対して後側に配置されている。
【００２６】
図１および図２戻り、第１便蓋突出部５２と第２便蓋突出部５３との間には、便蓋５が横臥状態となると機能部３の前部側が入り込むよう構成されている。
また、便座４の上に便蓋５が重なると、便座本体４１と便蓋本体５１とが重なり、第１便座突出部４２と第１便蓋突出部５２とが重なり、第２便座突出部４３と第２便蓋突出部５３とが重なるように配置されている。
本実施形態では、便蓋５が横臥姿勢となると、第１便蓋突出部５２の左側の縁部（第１側板部５２２）と第２便蓋突出部５３の右側の縁部（第２側板部５３２）とが前側から後側に向かって互いに近づくように（機能部３に近づくように）延びていて、機能部３と便蓋５とが合わさった外形が略長円状となっている。
以下の説明では、便蓋５が横臥姿勢であるものとする。
【００２７】
図９および図１０に示すように、第１便蓋突出部５２の第１形成部５２３には、第１軸部３２の先端部分３２ａが挿入される第１軸部挿入凹部５４と、第１軸部挿入凹部５４と連続し第１軸部挿入凹部５４から第１便蓋突出部５２の下方に達すように上下方向に延在する第１溝部５５と、第１ロック機構６が取り付けられる第１ロック機構取付部５６と、が形成されている。
【００２８】
第１軸部挿入凹部５４は、右側から第１軸部３２の先端部分３２ａ（図３および図４参照）が挿入されるように構成されている。第１軸部３２の先端部分３２ａは、第１軸部挿入凹部５４に挿入されると、第１軸部挿入凹部５４に嵌合し便蓋５との軸線回りの相対回動不可能に構成されている。
このため、便蓋５は、第１軸部３２が軸線回りに回動すると、第１軸部３２とともに回動するように構成されている。
【００２９】
第１溝部５５は、内部が第１軸部挿入凹部５４と連通し、右側から第１軸部３２の先端部分３２ａが挿入可能に構成されている。便蓋５は、第１溝部５５に第１軸部３２の先端部分３２ａが挿入された状態で第１軸部３２に対して上下方向に移動すると、第１溝部５５が第１軸部３２の先端部分３２ａに沿うようにして上下方向に移動する。便蓋５は、第１溝部５５に第１軸部３２の先端部分３２ａが挿入された状態で第１軸部３２に対して上方に移動すると、第１溝部５５の下端部から第１軸部３２が外れ、第１軸部３２離間した状態となる。
【００３０】
このため、第１軸部３２の先端部分３２ａが第１軸部挿入凹部５４に挿入された状態の便蓋５を、第１軸部３２に対して上側に移動させると、まず、第１軸部３２の先端部分３２ａが第１軸部挿入凹部５４の内部から第１溝部５５の内部に移る。更に便蓋５を上側に移動させると、第１軸部３２が第１溝部５５の下端部から便蓋５の下方に外れて、便蓋５が第１軸部３２から外れる。
【００３１】
第１ロック機構取付部５６は、第１軸部挿入凹部５４の下側で第１溝部５５と左右方向に重なる位置に形成されている。第１ロック機構取付部５６には、第１ロック機構６のピン６１（図１６参照）が固定されるピン固定部５６１と、第１溝部５５よりも後側に配置されて第１ロック機構６の第１凸部６６３（図１６参照）が挿入可能な第１凹部５６２と、第１ロック機構６の爪部６７１（図１６参照）が挿入可能な第２凹部５６３と、第１ロック機構６の第２凸部６６４（図１８参照）が移動可能なガイド溝部５６４と、下側に開口し第１ロック機構６の被係止片６７４（図１８参照）が挿入可能な第３凹部５６５と、が形成されている。
【００３２】
図１１および図１２に示すように、第２便蓋突出部５３の第２形成部５３３には、第２軸部３３の先端部分３３ａが挿入される第２軸部挿入凹部５７と、第２軸部挿入凹部５７と連続し第２軸部挿入凹部５７から第２便蓋突出部５３の下方に達すように上下方向に延在する第２溝部５８と、第２ロック機構６が取り付けられる第２ロック機構取付部５９と、が形成されている。
【００３３】
第２軸部挿入凹部５７は、左側から第２軸部３３の先端部分３３ａ（図３および図４参照）が挿入されるように構成されている。第２軸部３３の先端部分３３ａは、第２軸部挿入凹部５７に挿入されると、第２軸部挿入凹部５７に嵌合し便蓋５との軸線回りの相対回動不可能に構成されている。
このため、便蓋５は、第２軸部３３が軸線回りに回動すると、第２軸部３３とともに回動するように構成されている。
【００３４】
第２溝部５８は、内部が第２軸部挿入凹部５７と連通し、左側から第２軸部３３の先端部分３３ａ（図３および図４参照）が挿入可能に構成されている。便蓋５は、第２溝部５８に第２軸部３３の先端部分３３ａが挿入された状態で第２軸部３３に対して上下方向に移動すると、第２溝部５８が第２軸部３３の先端部分３３ａに沿うようにして上下方向に移動する。便蓋５は、第２溝部５８に第２軸部３３の先端部分３３ａが挿入された状態で第２軸部３３に対して上方に移動すると、第２溝部５８の下端部から第２軸部３３が外れ、第２軸部３３と離間した状態となる。
【００３５】
このため、第２軸部３３の先端部分３３ａが第２軸部挿入凹部５７に挿入された状態の便蓋５を、第２軸部３３に対して上側に移動させると、まず、第２軸部３３の先端部分３３ａが第２軸部挿入凹部５７の内部から第２溝部５８の内部に移る。更に便蓋５を上側に移動させると、第２軸部３３が第２溝部５８の下端部から便蓋５の下方に外れて、便蓋５が第２軸部３３から外れる。
【００３６】
第２ロック機構取付部５９は、第２軸部挿入凹部５７の下側で第２溝部５８と左右方向に重なる位置に形成されている。第２ロック機構取付部５９には、第２ロック機構６のピン６１（図１６参照）が固定されるピン固定部５９１と、第２溝部５８よりも後側に配置されて第２ロック機構６の第１凸部６６３（図１６参照）が挿入可能な第２凹部５９２と、第２ロック機構６の爪部６７１（図１６参照）が挿入可能な第２凹部５９３と、第２ロック機構６の第２凸部６６４（図１８参照）が移動可能なガイド溝部５９４と、下側に開口し第２ロック機構６の被係止片６７４（図１８参照）が挿入可能な第３凹部５９５と、が形成されている。
【００３７】
図１３乃至図１５に示すように、第１ロック機構６と第２ロック機構７とは、左右対称に形成されている。ここでは、第１ロック機構６のみを説明し、第２ロック機構７の第１ロック機構６に対応する部材は同じ符号で示す。
図１６乃至図１８に示すように、第１ロック機構６は、便蓋５のピン固定部５６１に固定されたピン６１と、ピン６１に係止され便蓋５に対して前後方向にスライド可能なスライド部６２と、を有している。
ピン６１は、頭部６１１が軸部６１２よりも拡径している段差つきピンで、軸部６２１側がピン固定部５６１に挿通され、頭部６１１側がピン固定部５６１から右側に突出している。
【００３８】
スライド部６２は、ピン６１に係止されるスライド部本体６３と、スライド部本体６３に着脱可能なカバー部６４（図１４参照）と、を有している。
スライド部本体６３は、ピン６１の軸部６１２が挿通される長孔６５１が形成された長孔形成板部６５と、長孔形成板部６５の上側に設けられた上側板部６６と、長孔形成板部６５の下側に設けられた下側板部６７と、を有している。
【００３９】
長孔形成板部６５は、板面が左右方向を向く板材で、長孔６５１が左右方向に貫通している。長孔６５１は、前後方向に長く、ピン６１の軸部６１２が挿通可能でピン６１の頭部が挿通不可能な大きさに形成されている。長孔形成板部６５は、長孔６５１に右側からピン６１の軸部６１２が挿通され、長孔６５１の右側にピン６１の頭部が配置されている。
長孔形成板部６５は、ピン６１に係止された状態で長孔６５１の前後方向の長さ範囲で前後方向にスライド可能に構成されている。
長孔形成板部６５には、後端部の上部側および下部側のそれぞれから左側に突出する一対の突出板部６５２，６５３が形成されている（図１６および１８参照）。一対の突出板部６５２，６５３は上下方向に離間している。
【００４０】
上側板部６６は、板面が上下方向を向く板材で構成されている。上側板部６６は、長板形成板部の上縁部に沿って前後方向に延びる第１片６６１と、第１片６６１の前端部から左側に延びる第２片６６２とを有し、板面が略Ｌ字状に形成されている。
第１片６６１は、長孔形成板部６５よりも前後方向および左右方向に突出している。
第１片６６１の長孔形成板部６５よりも後方に突出する部分を第１凸部６６３とし、第１片６６１の長孔形成板部６５よりも左側に突出する部分を第２凸部６６４（図１８参照）とする。
【００４１】
第１凸部６６３は、第１ロック機構取付部５６の第１凹部５６２に嵌合可能で、スライド部６２が最後部に位置すると、第１ロック機構取付部５６の第１凹部５６２に嵌合するように構成されている。
第２凸部６６４は、第１ロック機構取付部５６のガイド溝部５６４に挿入可能で、スライド部６２が前後方向にスライドするとガイド溝部５６４に沿って前後方向にスライドするように構成されている。
【００４２】
第２片６６２は、第１ロック機構取付部５６の前側に配置され、左側の端部が第１便蓋突出部５２の第１側板部５２２に当接している。第２片６６２には、下側に突出しカバー部６４の第２突出部６４４（図１８参照）を係止可能な第３突出部６６５が形成されている。
【００４３】
下側板部６７は、板面が上下方向を向く板材で構成されている。下側板部６７は、板面が略台形状に形成されている。下側板部６７は、長孔形成板部６５よりも前後方向および左右方向に突出している。
下側板部６７の後端部分には、長孔形成板部６５よりも後方に突出し、第１ロック機構取付部５６の第２凹部５６３に嵌合可能でスライド部６２が最後部に位置すると第１ロック機構取付部５６の第２凹部５６３に嵌合する爪部６７１が形成されている。
下側板部６７は、左側の端部が第１便蓋突出部５２の第１側板部５２２と当接している。
下側板部６７には、前端部近傍に上側に突出しカバー部６４の第３突出部６４５（図１８参照）を係止可能な第４突出部６６６が形成されている。
【００４４】
下側板部６７には、平面視において略Ｌ字型状の切り込み６７２が形成されている。切り込み６７２は、下側板部６７の前後方向の中間部において左側の端部から長孔形成板部６５と接続している部分まで延び、長孔形成板部６５に沿って所定寸法前側に延びている。切り込み６７２の内側の部分を被係止部６７３とすると、被係止部６７３は、その前縁部を境として弾性変形して上下に曲がるように構成されている。
【００４５】
被係止部６７３には、上面から上方に突出する被係止片６７４（図１８参照）と、下面から下方に突出する把持部６７５がと、形成されている。
スライド部６２が最後部に位置すると、被係止片６７４が第１ロック機構取付部５６の第３凹部５６５に挿入されて、スライド部６２が便蓋５に対して前後方向に移動しないように拘束される。
なお、使用者が把持部６７５を把持して被係止部６７３を下側に引っ張ることで、被係止片６７４を第３凹部５６５から外すことができる。
【００４６】
カバー部６４は、略長方形状の板材を断面形状が略Ｌ字型状となるように曲げた形状の部材で構成されている。カバー部６４は、上側板部６６と下側板部６７との間に配置されている。
断面形状の略Ｌ字型の屈曲部よりも一方側を第１片６４１とし、他方側を第２片６４２とすると、第１片６４１は、板面が略左右方向を向き、長孔形成板部６５の右側に間隔をあけて配置され、第２片６４２は、板面が前後方向を向き、長孔形成板部６５の前側に配置されている。
図１８に示すように、第１片６４１には、後端部から左側に突出する第１突出部６４３が形成されている。第１突出部６４３の先端部には、更に前側に突出する爪部６４３ａが形成されている。第１突出部６４３は、長孔形成板部６５から突出する一対の突出板部６５２，６５３の間に挿入され、爪部６４３ａが長孔形成板部６５の左側に入り込んで長孔形成板部６５に係止されるように構成されている。
【００４７】
第２片６４２には、左右方向の中間部の上端部近傍に後側に突出する第２突出部６４４が形成され、左右方向の中間部の下端部近傍に後側に突出する第３突出部６４５が形成されている。第２突出部６４４の先端部には、更に左側に突出する爪部６４４ａが形成されている。第３突出部６４５の先端部には、更に左側に突出する爪部６４５ａが形成されている。
第２突出部６４４の爪部６４４ａは、スライド部６２の第３突出部６６５に係止されるように構成されている。
第３突出部６４５の爪部６４５ａは、スライド部６２の第４突出部６６６に係止されるように構成されている。
カバー部は、第１突出部６４３が長孔形成板部６５に係止され、第２突出部６４４が上側板部６６に係止され、第３突出部６４５が下側板部６７に係止されることで、スライド部本体６３に固定されている。
【００４８】
図１９に示すように、ピン６１が長孔６５１の前端部に配置されるように第１ロック機構６のスライド部６２が後側に移動すると、スライド部６２が第１溝部５５の右側に配置されるため、先端部分３２ａが第１軸部挿入凹部５４に挿入された第１軸部３２が第１溝部５５に入り込むことができない。これにより、第１軸部３２に対して便蓋５が上側に移動しないように便蓋５がロックされる。
また、図２０に示すように、ピン６１が長孔６５１の後端部に配置されるように第１ロック機構６のスライド部６２が前側に移動すると、スライド部６２が第１溝部５５よりも前側に配置されて第１溝部５５と左右方向に重ならないため、先端部分３２ａが第１軸部挿入凹部５４に挿入された第１軸部３２が第１溝部５５に入り込むことができる。これにより、第１軸部３２に対して便蓋５が上側に移動可能となるように便蓋５のロックが解除される。
【００４９】
図２１に示すように、ピン６１が長孔６５１の前端部に配置されるように第２ロック機構７のスライド部６２が後側に移動すると、スライド部６２が第２溝部５８の左側に配置されるため、先端部分３３ａが第１軸部挿入凹部５７に挿入された第２軸部３３が第２溝部５８に入り込むことができない。これにより、第２軸部３３に対して便蓋５が上側に移動しないように便蓋５がロックされる。
また、図２２に示すように、ピン６１が長孔６５１の後端部に配置されるように第２ロック機構６のスライド部６２が前側に移動すると、スライド部６２が第２溝部５８よりも前側に配置されて第２溝部５８と左右方向に重ならないため、先端部分３３ａが第２軸部挿入凹部５７に挿入された第２軸部３３が第２溝部５８に入り込むことができる。これにより、第２軸部３３に対して便蓋５が上側に移動可能となるように便蓋５のロックが解除される。
【００５０】
次に、上述した便座装置１０の作用・効果について図面を用いて説明する。
上述した本実施形態による便座装置１０では、第１軸部挿入凹部５４に第１軸部３２の先端部分３２ａが挿入され、第２軸部挿入凹部５７に第２軸部３３の先端部分３３ａが挿入された横臥姿勢の便蓋５を、第１ロック機構６および第２ロック機構７によるロックを解除した後に、上側に移動させると、第１軸部３２が第１溝部５５に入り込んで第１溝部５５の下端部から外れ、第２軸部３３が第２溝部５８に入り込んで第２溝部５８の下端部から外れるようにして便蓋５を第１軸部３２および第２軸部３３から取り外すことができる。
また、便蓋５を機能部３に取り付けるには、横臥姿勢の便蓋５を機能部３に上側から近づけて、第１軸部３２を第１溝部５５に入り込ませ、第２軸部３３を第２溝部５８に入り込ませるようにして更に便蓋５を下方に移動させると、第１軸部３２が第１軸部挿入凹部５４に入り込み、第２軸部３３が第２軸部挿入凹部５７に入り込み、第１ロック機構６および第２ロック機構７によるロックを行うことで便蓋５を第１軸部３２および第２軸部３３に取り付けることができる。
【００５１】
このように本実施形態による便座装置１０によれば、便蓋５を起立姿勢とせず横臥姿勢のままで第１軸部３２および第２軸部３３に着脱できるとともに、便蓋５を第１軸部３２および第２軸部３３に対して同時に着脱することができるため、便蓋５を機能部に容易に着脱することができる。
【００５２】
また、従来の便座装置には、便蓋５を機能部３から取り外す場合には、まず便蓋５を起立姿勢とし、便蓋５を上側へ移動させて第１軸部３２および第２軸部３３のいずれか一方の軸部から外し、その後に便蓋５を軸線方向に移動させて他方の軸部から外し、便蓋５を機能部３に取り付ける場合は、まず便蓋５を取り付け位置近傍において起立姿勢とし、便蓋５を軸線方向に移動させて他方の軸部に取付け、その後に便蓋５を下方に移動させて一方の軸部に取り付ける構成のものがある。
このような便座装置の場合、便蓋５を機能部３へ着脱する際に、便蓋５が一方の軸部には取り付けられておらず他方の軸部には取り付けられた状態となると、一方の軸部に取り付けられる側が他方の軸部に取り付けられる側よりも高い位置に配置された傾いた姿勢となる。このため、便蓋５と一対の軸部それぞれとの間に便蓋５が傾いた際のクリアランスを設ける必要がある。
これにより、便蓋５は、一対の軸部に取り付けられると、上記のクリアランスによって機能部３に対してがたついてしまうことがある。
これに対し、本発明では、便蓋５を一対の軸部に対して同じ方向から同時に着脱できるため、便蓋５と一対の軸部それぞれとの間にクリアランスを設ける必要がなく、便蓋５が機能部３に対してがたつくことを防止できる。
【００５３】
また、スライドすることで便蓋５のロックおよびロックの解除を切り替える第１ロック機構６および第２ロック機構７を有することにより、便蓋５のロックおよびロックの解除の切り替えを容易に行うことができる。
また、第１ロック機構６および第２ロック機構７は、第１凸部６６３、第２凸部６６４、および爪部６７１が第１ロック機構取付部５６および第２ロック機構取付部５９に係止されるとともに、スライド部６２がピン６１を介して第１ロック機構取付部５６および第２ロック機構取付部５９に係止されている。このため、第１ロック機構６および第２ロック機構７は、便蓋５に確実に係止され、第１ロック機構６および第２ロック機構７をスライドさせた際に便蓋５から外れたり位置ずれしたりすることを防止できる。
【００５４】
また、第１便蓋突出部５２２に第１軸部挿入凹部５４、第１溝部５５、第１ロック機構取付部５６が形成され、第２便蓋突出部５３２に第２軸部挿入凹部５７、第２溝部５８、第２ロック機構取付部５９が形成されていることにより、第１軸部挿入凹部５４、第１溝部５５、第１ロック機構取付部５６、第１軸部３２の先端部分３２ａ、第１ロック機構６、第２軸部挿入凹部５７、第２溝部５８、第２ロック機構取付部５９、第２軸部３３の先端部分３３ａ、および第２ロック機構７の露出が少ないため、これらが汚れることが抑制され清掃性を向上させることができる。
また、平面視において横臥姿勢の便蓋５と機能部３とを合わせた外形が長円形状であることにより、便器１の意匠性を向上させることができる。また、便蓋５が機能部３の外周部よりも外側に突出する形状である場合と比べて、便蓋５の小型化および軽量化を図ることができる。
【００５５】
以上、本発明による便座装置の実施形態について説明したが、本発明は上記の実施形態に限定されるものではなく、その趣旨を逸脱しない範囲で適宜変更可能である。
例えば、上記の実施形態では、横臥状態の便蓋５を第１軸部３２および第２軸部３３の両方に対して上下方向に移動させて着脱するように構成されているが、いずれか一方のみに対して上下方向に移動させて着脱し、他方には、軸線方向から着脱するように構成されていてもよい。
【００５６】
このように構成されている場合においても、便蓋５を起立状態とせずに横臥状態のままで軸部に着脱ことができ、便蓋５を機能部３に容易に取り付けることができる。
また、便蓋５を横臥状態のまま第１軸部３２および第２軸部３３に対して上下方向に移動させて軸部に着脱しているため、第１便蓋突出部５２の第１側板部５２２および第２便蓋突出部５３の第２側板部５２３が後端部近傍において互いに左右方向の内側に向かうように延びている場合でも、便蓋５を機能部３に容易に着脱することができる。
なお、第１便蓋突出部５２の第１側板部５２２および第２便蓋突出部５３の第２側板部５２３が後端部近傍において互いに左右方向の内側に向かうように延びている場合とは、第１便蓋突出部５２の第１側板部５２２および第２便蓋突出部５３の第２側板部５２３が前側から後側に向かって漸次機能部３に互いに近づくように延びている場合や、第１便蓋突出部５２の第１側板部５２２および第２便蓋突出部５３の第２側板部５２３が前後方向に延びるとともに第１便蓋突出部５２の後端面および第２便蓋突出部の後端面が左右方向に延びている場合などを含むものとする。
【００５７】
また、上記の実施形態では、横臥状態の便蓋５を第１軸部３２および第２軸部３３の両方に対して上下に移動させて着脱するように構成されているが、起立姿勢や斜めの所定の姿勢の便蓋５を第１軸部３２および第２軸部３３の両方に対して上下に移動させて着脱するように構成されていてもよい。このように構成されている場合、第１溝部５５および第２溝部５８は所定の姿勢の便蓋５に上下方向に延在するように形成されているものとする。
【００５８】
また、上記の実施形態では、便座装置１０は、第１ロック機構６および第２ロック機構７を有しているが、有していなくてもよい。
また、第１ロック機構６および第２ロック機構７は、便蓋５に対して前後方向にスライドしてロックと解除とを切り替えるように構成されているが、スライドに代わって便蓋５に対して回転するなどしてロックと解除とを切り替えるように構成されていてもよい。
また、上記の実施形態では、第１ロック機構６および第２ロック機構７は、便蓋５に複数の個所で係止されているが、これ以外の個所で係止されていてもよい。
【００５９】
また、上記の実施形態では、第１便蓋突出部５２の第１側板部５２２および第２便蓋突出部５３の第２側板部５２３が前側から後側に向かって漸次機能部３に互いに近づくように延びているが、第１便蓋突出部５２の第１側板部５２２および第２便蓋突出部５３の第２側板部５２３が前後方向に延びるとともに第１便蓋突出部５２の後端面および第２便蓋突出部の後端面が左右方向に延びていてもよい。また、第１便蓋突出部５２および第２便蓋突出部５３の形状は適宜設定されてよい。
また、上記の実施形態では、平面視において横臥姿勢の便蓋５と機能部３とを合わせた外形が長丸形状であるが、例えば楕円形状など他の形状としてもよい、また便蓋５の第１便蓋突出部および第２便蓋突出部が便器本体２より外方に突出していてもよい。
【００６０】
また、上記の実施形態では、便蓋５は機能部３に着脱するように構成されているが、便器本体２着脱可能に構成されていてもよい。
【符号の説明】
【００６１】
１  便器
２  便器本体（本体部）
３  機能部（本体部）
４  便座
５  便蓋
６  第１ロック機構（ロック機構）
７  第２ロック機構（ロック機構）
１０  便座装置
３２  第１軸部（軸部）
３２ａ  先端部分
３３  第２軸部（軸部）
３３ａ  先端部分
５２  第１便蓋突出部（突出部）
５３  第２便蓋突出部（突出部）
５４  第１軸部挿入凹部（軸部挿入凹部）
５５  第１溝部（溝部）
５６  第１ロック機構取付部
５７  第２軸部挿入凹部（軸部挿入凹部）
５８  第２溝部（溝部）
５９  第２ロック機構取付部
【図１】
0006666156.tif 000002
【図２】
0006666156.tif 000003
【図３】
0006666156.tif 000004
【図４】
0006666156.tif 000005
【図５】
0006666156.tif 000006
【図６】
0006666156.tif 000007
【図７】
0006666156.tif 000008
【図８】
0006666156.tif 000009
【図９】
0006666156.tif 000010
【図１０】
0006666156.tif 000011
【図１１】
0006666156.tif 000012
【図１２】
0006666156.tif 000013
【図１３】
0006666156.tif 000014
【図１４】
0006666156.tif 000015
【図１５】
0006666156.tif 000016
【図１６】
0006666156.tif 000017
【図１７】
0006666156.tif 000018
【図１８】
0006666156.tif 000019
【図１９】
0006666156.tif 000020
【図２０】
0006666156.tif 000021
【図２１】
0006666156.tif 000022
【図２２】
0006666156.tif 000023